(57)【特許請求の範囲】
【請求項１】
地下水，海水等の湧水のおそれがある構築物の少なくとも内壁面および底面に取付ける湧水処理パネルであって、
板状のパネル本体の構築物の内壁面側および底面側に複数の突起を形成し、
パネル本体と構築物の内壁面および底面との間に介在する突起間の隙間を湧水通路に形成し、
前記底面側の突起のいくつかを調整穴が形成され内部に雌ねじ部を有する円筒形状の突起とし、
これら突起の雌ねじ部に螺合する雄ねじ部が形成された脚部を突起へねじ込んで取付け、
調整穴から脚部を回転させてパネル本体の高さを調節して底壁の不陸を調整するようにしたことを特徴とする湧水処理パネル。
【請求項２】
前記突起間に閉鎖空間とはならない隙間を形成してあることを特徴とする請求項１に記載の湧水処理パネル。
【請求項３】
前記パネル本体は、正方形の２枚の板をずらせて貼り合わせ、下の２辺がはみ出るようになった部分は上の板部分から１枚の板厚分の段差を設けて上の板部分と一体成形され、前記はみ出た部分に対し他のパネル本体の板部分を重ね合わせるようにしたことを特徴とする請求項１又は２に記載の湧水処理パネル。
【請求項４】
前記はみ出た２辺の部分には複数の凸部が形成してあり、上の板部分の部分と対向する２辺には凸部が嵌合する穴が形成してあることを特徴とする請求項３に記載の湧水処理パネル。
【請求項５】
前記穴に嵌まり込む凸部としては、対向する位置に２個所のスリットが形成され、半周側には係止部が形成され、立上った部分が内側へ倒れ込み、係止部が穴を通過し、係止部が穴の上面に係止できるようになっていることを特徴とする請求項４に記載の湧水処理パネル。
【請求項６】
蓄熱槽の少なくとも内壁面および底面に片面に複数の突起が形成された板状のパネル本体を突起が内壁面および底面に向くように取付け、
パネル本体と内壁面および底面との間に介在する突起間の隙間を湧水通路に形成し、
前記底面側の突起のいくつかを調整穴が形成され内部に雌ねじ部を有する円筒形状の突起とし、
これら突起の雌ねじ部に螺合する雄ねじ部が形成された脚部を突起へねじ込んで取付け、
調整穴から脚部を回転させてパネル本体の高さを調節して底壁の不陸を調整するようにし、
湧水通路を通ってきた湧水を集めて蓄熱槽の外部へ排水する排水ピットを設け、
パネル本体の表面に断熱層を形成し、
この断熱層の表面に防水シート又は防水・防湿を図った表面層を設けたことを特徴とする蓄熱槽。
【請求項７】
前記突起間に閉鎖空間とはならない隙間を形成してあることを特徴とする請求項６に記載の蓄熱槽。
【請求項８】
前記断熱層として硬質ポリウレタンフォームの層を使用し、表面層としてエポキシ樹脂の層を使用したことを特徴とする請求項６又は７に記載の蓄熱槽。
【発明の詳細な説明】
【０００１】
【発明の属する技術分野】
この発明は、地下水，海水等の湧水のおそれがある構築物、例えばビルの冷暖房に利用されるヒートポンプシステム，熱回収システム，ソーラシステム等の採用時に必要となる蓄熱槽の内壁面および底面に取付けるのに好適な湧水処理パネル及びこれを使用した蓄熱槽に関する。
【０００２】
【従来の技術】
従来の蓄熱式ヒートポンプシステムに用いられる蓄熱槽は、ビルの地下の最下部の空間を利用して冷水／温水を貯めておく構築物であり、槽内の水温を均一にし、水の流れが一定で滞留等が起こらないようにしてあり、さらに熱損失を防ぎ効率を高くするために十分な断熱を施す必要があるものである。そのため、コンクリート等の蓄熱槽の内壁面および底面に最初にエマルジョン系塗膜防水を施し、次いで有機質系保護モルタルを施して防水・防湿層を形成する。この層上に現場発泡により硬質ポリウレタンフォームの層、すなわち断熱層を形成する。この断熱層上にエポキシ樹脂モルタル，エポキシ樹脂ライニング，エポキシ樹脂コーティングを施して防水・防湿を図った表面層を形成する。あるいは、内壁面や底面に断熱層となるスチレンフォーム板を取付け、この断熱層上に塩化ビニル等の防水性のシートを設けたものも知られている。
【０００３】
【発明が解決しようとする課題】
蓄熱槽のコンクリートの打ち継ぎ部とか不慮のコンクリートクラック等から地下水や海水等が槽内に流入するおそれがあった。その流入量によっては、内側の防水・防湿層では流入を阻止することができず、断熱層が湿潤し、防水・防湿層と断熱層との接着強度の確保が困難となる。断熱層の接着が不十分のまま次の工程を行うと、蓄熱槽を作動させた場合に断熱層と外側（表面）の防水・防湿を図った表面層が破壊する、通称「花咲現象」が発生する。この「花咲現象」は、次のようなプロセスで発生すると考えられている。すなわち、最初に断熱層の内側の防水・防湿層からの剥離が生じ、次いで槽内温水水温の一日の経時変化による断熱層の膨張と収縮それに断熱層の剥離個所に侵入した空気の膨張と収縮が生ずることにより断熱層接着不良領域が増大する。そして、さらにこのような膨張と収縮とが繰り返されることにより、表面層（エポキシ層）が繰り返し荷重を受け、力学的物性が低下し、クラックが発生する。このようなクラックの進展に伴い、断熱層にもクラックが伝播するとともに断熱層の浮力によってさらにクラックが拡大する。クラックは断熱層の未剥離部に到達した時点で停止する。また、断熱層上に防水シートを設けたものでも断熱層が水に浸るおそれがあり、断熱性能の低下を免れず、シートの破損のおそれもあった。
【０００４】
そこで、この発明は、湧水の生ずるおそれのある構築物の内壁面および底面に湧水処理能力を持たせ、花咲現象や断熱性能の低下を防止できる湧水処理パネル及びこれを使用した蓄熱槽を提供することを目的とする。
【０００５】
【課題を解決するための手段】
上述の目的を達成するため、この発明は、地下水，海水等の湧水のおそれがある構築物の少なくとも内壁面および底面に取付ける湧水処理パネルであって、板状のパネル本体の構築物の内壁面側および底面側に複数の突起を形成し、パネル本体と構築物の内壁面および底面との間に介在する突起間の隙間を湧水通路に形成し、前記底面側の突起のいくつかを調整穴が形成され内部に雌ねじ部を有する円筒形状の突起とし、これら突起の雌ねじ部に螺合する雄ねじ部が形成された脚部を突起へねじ込んで取付け、調整穴から脚部を回転させてパネル本体の高さを調節して底壁の不陸を調整するようにしたものである。また、蓄熱槽の少なくとも内壁面および底面に片面に複数の突起が形成された板状のパネル本体を突起が内壁面および底面に向くように取付け、パネル本体と内壁面および底面との間に介在する突起間の隙間を湧水通路に形成し、前記底面側の突起のいくつかを調整穴が形成され内部に雌ねじ部を有する円筒形状の突起とし、これら突起の雌ねじ部に螺合する雄ねじ部が形成された脚部を突起へねじ込んで取付け、調整穴から脚部を回転させてパネル本体の高さを調節して底壁の不陸を調整するようにし、湧水通路を通ってきた湧水を集めて蓄熱槽の外部へ排水する排水ピットを設け、パネル本体の表面に断熱層を形成し、この断熱層の表面に防水シート又は防水・防湿を図った表面層を設けたものである。
【０００６】
【発明の実施の形態】
以下にこの発明の好適な実施例を図面を参照にして説明する。
【０００７】
図１に示す実施例は、正方形状の２枚の板をずらせて貼り合わせた格好のパネル本体１を形成し、このパネル本体１の片面に複数の突起２を形成し、突起２間に閉鎖空間とはならない隙間３を形成してある。下の２辺がはみ出るようになった部分１０は上の正方形状の板部分１１から１枚の板厚分の段差を設けて板部分１１と一体成形され、この部分１０に対し他のパネル本体１の板部分１１を重ね合わせて多数のパネル本体１を並べたとき、複数の上の板部分１１の面は平坦となる。はみ出た２辺の部分１０には複数の凸部１０Ａが形成してあり、上の板部分１１の部分１０と対向する２辺には凸部１０Ａが嵌合する穴１１Ａが形成してある。また、後述する構築物の内壁面および底面２０に取付くため板部分１１に取付穴４を形成してある。
【０００８】
前記突起２は、図２に示すように円筒形状のものを中央部に配し、円筒形を略半分に割った形状のものを周辺部に配してある。突起２の形状は種々の形状が考えられる。構築物の内壁面および底面２０に突起２を介在させてパネル本体１を取付けたときに湧水が円筒形状の突起２内に閉じ込められないように突起２の開口端部を塞ぐかあるいは隙間３に通ずる孔をあけておくようにしてもよいが、円筒形状の突起２の開口端部が内壁面および底面２０に密着しない場合（このような場合の方が多い）には上述のようなことは必要ない。突起２はパネル本体１と一体成形してもよいし、別個に取付けてもよい。
【０００９】
図１および図２に示すような湧水処理パネルを構築物の底壁に取付ける場合、この底壁の不陸を調整するため、調整穴５が形成された個所の円筒形状の突起２（図３参照）に対して脚部６をねじ込んで取付ける。この脚部６の外周面には雄ねじ部６Ａが形成してあり、突起２の内周面にはこの雄ねじ部６Ａに螺合する雌ねじ部２Ａが形成してある。脚部６の内底面には調整穴５から差し込まれるドライバーが挿入されるためのプラスまたはマイナスの溝６Ｂが形成してある。図５は脚部６の背の高い例を示すものである。図４および図５に示す脚部６の上方から見た図は図６に示すようになる。調整用の溝６Ｂはこの例ではプラスの溝に形成してあり、プラスのドライバーを調整穴５から差し込み、脚部６を回転させることにより底壁からのパネル本体１の高さを調節することができる。図７および図８は脚部６の取付状態を表側と裏側から見たときの図である。
【００１０】
図９は、パネル本体１同士をつなげる状態を示し、２辺のはみ出た部分１０は板部分１１の板厚分下方に下がって一体成形されているので、この部分に他の板部分１１を重ね合わせると、板部分１１同士の表面は平坦となる。
【００１１】
穴１１Ａに嵌まり込む凸部１０Ａとしては、図１０に示すような形状のものが考えられる。これは、スリット１０Ｂが形成され、半周側には係止部１０Ｃが形成されたものであり、スリット１０Ｂは、図１１に示すように対向する位置に２個所形成してあるため、立上った部分が内側に倒れ込み、係止部１０Ｃが穴１１Ａを通過し、係止部１０Ｃが穴１１Ａの上面に係止できるようになっている（図１２参照）。
【００１２】
図１３ないし図１５は、上述した湧水処理パネルを複数枚組合わせて構築物の内壁面２０および底面２１に取付ける例を示すものであり、取付穴４の個所にはアンカーボルト２１を打ち込んでパネル本体１と内壁面２０および底面２１とを強固に取付ける。内壁面２０および底面２１とパネル本体１との間には複数の突起２が介在し、突起２間には隙間３が形成され、この隙間３は閉鎖空間にはならず、湧水通路となり、構築物の底壁に導かれ、底壁において隙間２を通ってきた湧水は排出口から外部に排出されるようになる。
【００１３】
図１６は蓄熱槽簡略断面図を示し、この内壁面２０および底面２１に対し図１３ないし図１５に示すように湧水処理パネルを取付ける。図中符号２２はマンホールを示し、符号２３は連通管を示し、符号２４は排水管を示す。また符号２５は通気管を示す。蓄熱槽の内壁面２０および底面２１に対し複数の湧水パネルを取付けたならば、内側を向くパネル本体１に対し断熱層２６を設ける。この断熱層２６は、図１７に示すように、従来と同様に硬質ポリウレタンフォームを現場発泡によりパネル本体１の表面に形成する。この図１７に示す断熱層２６の上には従来と同様にエポキシ樹脂の防水・防湿を図った表面層を形成する。符号２７は天井面を示す。
【００１４】
この発明の湧水処理パネルは、蓄熱槽以外の構築物の内壁面および底面にも適用できることは勿論である。またパネル本体１は、合成樹脂製のものが好適に使用され、耐熱性，耐フロン性，対ウレタン接着性の優れたものが好適に使用できる。なおまた、蓄熱槽に適用した例においては、現場においてウレタンを吹付け形成したが、予め１枚１枚の湧水処理パネルに対して断熱層を形成しておくことも可能である。
【００１５】
図１８は蓄熱槽の概略を示し、底面２１にパネル本体１を取付け、このパネル本体１の表面に断熱層２６を形成し、この断熱層２６の表面に防水シート２８を設けた。連通管２３や通気管２５が設けられる仕切壁２９以外の内壁面２０には底面２１と同様にパネル本体１，断熱層２６，防水シート２８を設けてある。図１９は湧水通路を通ってきた湧水を集めて蓄熱槽の外部へ排水する排水ピット２９が設けてある。通常蓄熱槽は、間仕切りで複数の槽に仕切られ、各槽間を水が循環する。したがって、湧水通路も各槽間で連通し、蓄熱槽の外部、例えば排水槽３０を設け、排水槽３０内に排水ポンプ３１を設けて湧水通路を通って排水ピット２９から排水槽３０に集められてきた湧水を汲み上げる。
【００１６】
底面２１の大きさが２ｍ×３ｍ、高さ２ｍのコンクリート壁で水槽を構築し、この水槽の底面２１と内壁面２０に厚さ３０ｍｍのウレタンフォームの断熱層２６を形成し、この断熱層２６上にエポキシ樹脂の表面層を形成したものを比較例１とし、厚さ３０ｍｍのスチレンフォームの断熱層２６上に表面層の替りに防水シート２８を設けたものを比較例２とした。比較例１における底面２１と断熱層２６との間及び内壁面２０と断熱層２６との間にＡＢＳ樹脂製のパネル本体１を介在させたものを実施例１、ポリプロピレン製のパネル本体１の平面側に対ウレタン接着性プライマを処理したものを介在させたものを実施例２とした。さらに、比較例２における底面２１と断熱層２６との間及び内壁面２０と断熱層２６との間にＡＢＳ樹脂製又はポリプロピレン製のパネル本体１を介在させたものを夫々実施例３，４とした。図２０は、実施例３，４を示し、高さ５０ｃｍの内壁面２０の個所から５０ｌ／日の割合で１ヶ月間水（湧水）を流した。槽内には５０℃の温水を入れておく。実施例では排水ピット２９を設け、比較例１では排水ピット２９を設けていない。比較例１，２及び実施例１，２についても図２０に示すと同様の条件下で湧水実験を行なった。その結果は表１の通りであった。
【００１７】
【表１】
0003574510.tif 000002
【００１８】
【発明の効果】
以上説明したように、この発明の湧水処理パネルは、地下水，海水等の湧水のおそれがある構築物の少なくとも内壁面および底面に取付ける湧水処理パネルであって、板状のパネル本体の構築物の内壁面側および底面側に複数の突起を形成し、パネル本体と構築物の内壁面および底面との間に介在する突起間の隙間を湧水通路に形成し、前記底面側の突起のいくつかを調整穴が形成され内部に雌ねじ部を有する円筒形状の突起とし、これら突起の雌ねじ部に螺合する雄ねじ部が形成された脚部を突起へねじ込んで取付け、調整穴から脚部を回転させてパネル本体の高さを調節して底壁の不陸を調整するようにしたので、構築物の内壁面および底面から湧水が生じても、パネル本体の表面側には侵入せず、突起間の隙間を伝わって排水処理することができる。従って、このような湧水処理パネルを蓄熱槽の内壁面および底面と断熱層との間に設ければ、所謂花咲現象を防止するとともに、断熱性能の低下を防止することができる。
また、この発明の蓄熱層では、湧水通路を通ってきた湧水を排水ピットに集め、排水ピットから外部へ排水するので、断熱層が濡れることもなく、断熱性能を損うことなく、防水シートのめくれや表面層のクラック発生を防止できる。
【図面の簡単な説明】
【図１】この発明の好適な実施例を示す斜視図。
【図２】図１の裏側から見た斜視図。
【図３】調整穴が形成された個所の突起を示す断面図。
【図４】図３に示す突起にねじ込まれる脚部を示す断面図。
【図５】背の高い脚部を示す断面図。
【図６】脚部の上側から見た平面図。
【図７】脚部取付状態の斜視図。
【図８】脚部を取付けた状態の裏側から見た斜視図。
【図９】２枚の湧水処理パネルを重ね合わせた状態の断面図。
【図１０】凸部の詳細を示す断面図。
【図１１】凸部の平面図。
【図１２】凸部を穴に係合させた状態の断面図。
【図１３】複数の湧水処理パネルを互いに連結する状態を示す斜視図。
【図１４】４枚の湧水処理パネルを連結した状態の斜視図。
【図１５】アンカーボルト取付位置を示す斜視図。
【図１６】蓄熱槽の内壁面および底面に多数の湧水処理パネルを取付けた状態の簡略断面図。
【図１７】パネル本体の表面に断熱層を形成した状態の簡略断面図。
【図１８】蓄熱槽の概略図。
【図１９】排水ピットを設けた断面図。
【図２０】湧水実験を示す断面図。
【符号の説明】
１  パネル本体
２  突起
３  隙間
２０  内壁面
２１  底面
２６  断熱層
２８  防水シート
２９  排水ピット
【図１】
0003574510.tif 000003
【図２】
0003574510.tif 000004
【図３】
0003574510.tif 000005
【図４】
0003574510.tif 000006
【図５】
0003574510.tif 000007
【図６】
0003574510.tif 000008
【図７】
0003574510.tif 000009
【図８】
0003574510.tif 000010
【図９】
0003574510.tif 000011
【図１０】
0003574510.tif 000012
【図１１】
0003574510.tif 000013
【図１２】
0003574510.tif 000014
【図１３】
0003574510.tif 000015
【図１４】
0003574510.tif 000016
【図１５】
0003574510.tif 000017
【図１６】
0003574510.tif 000018
【図１７】
0003574510.tif 000019
【図１８】
0003574510.tif 000020
【図１９】
0003574510.tif 000021
【図２０】
0003574510.tif 000022